(57)【特許請求の範囲】
【請求項１】
パネルと、
前記パネルの一方の主面上に設けられた第１保護シートと、前記パネルの他方の主面上に設けられた第２保護シートとを備え、
前記第１保護シートは、平面視して、前記パネルの縁部よりも外側に張り出した張出部と、前記張出部から外側に突出した第１突出部とを有しており、
前記第２保護シートは、平面視して、前記パネルの前記縁部よりも外側に突出した第２突出部を有しており、
前記第２突出部は、平面視して、前記第１突出部と重ならない位置に設けられている、パネル部材。
【請求項２】
前記張出部は、前記パネルの全ての前記縁部よりも外側に張り出している、請求項１に記載のパネル部材。
【請求項３】
前記パネルは、平面視して、略矩形状をなしており、
前記第１突出部は、前記パネルの隅部の近傍に位置している、請求項１または２に記載のパネル部材。
【請求項４】
前記パネルは、タッチパネルである、請求項１〜３のいずれか一項に記載のパネル部材。
【請求項５】
請求項１〜４のいずれか一項に記載のパネル部材と、
前記パネル部材が載置される載置部を有した搬送用容器と、を備える、搬送装置。
【発明の詳細な説明】
【技術分野】
【０００１】
本発明は、パネル部材、および搬送装置に関する。
【背景技術】
【０００２】
従来より、表示パネルあるいはタッチパネル等のパネルを搬送用容器の載置部に載置して搬送装置となし、この搬送装置を所望の場所へ搬送することが行われている（例えば、特許文献１参照）。
【先行技術文献】
【特許文献】
【０００３】
【特許文献１】特開２００７−１１９０７１号公報
【発明の概要】
【発明が解決しようとする課題】
【０００４】
しかしながら、上記従来のパネルでは、搬送装置として搬送する際に、搬送による振動がパネルに伝わり、パネルが載置部の内壁に繰り返し当接することになる。パネルが載置部の内壁に繰り返し当接すると、パネルに欠けあるいはクラックが生じる可能性があった。
【０００５】
本発明は、上記の問題点に鑑みてなされたものであり、その目的は、パネルに欠けあるいはクラックが生じる可能性を低減することができるパネル部材、および搬送装置に関する。
【課題を解決するための手段】
【０００６】
本発明のパネル部材における一態様は、パネルと、前記パネルの一方の主面上に設けられた第１保護シートと、前記パネルの他方の主面上に設けられた第２保護シートとを備え、前記第１保護シートは、平面視して、前記パネルの縁部よりも外側に張り出した張出部と、前記張出部から外側に突出した第１突出部とを有しており、前記第２保護シートは、平面視して、前記パネルの前記縁部よりも外側に突出した第２突出部を有しており、前記第２突出部は、平面視して、前記第１突出部と重ならない位置に設けられている。
【０００７】
本発明の搬送装置における一態様は、本発明に係るパネル部材と、前記パネル部材が載置される載置部を有した搬送用容器と、を備える。
【発明の効果】
【０００８】
本発明のパネル部材、および搬送装置は、パネルに欠けあるいはクラックが生じる可能性を低減することができる、という効果を奏する。
【図面の簡単な説明】
【０００９】
【図１】第１の実施形態に係るパネル部材の概略構成を示す平面図である。
【図２】図１中に示した切断線Ｉ−Ｉに沿って切断した断面図である。
【図３】図１中に示した切断線ＩＩ−ＩＩに沿って切断した断面図である。
【図４】搬送装置の概略構成を示す平面図である。
【図５】図４中に示した切断線ＩＩＩ−ＩＩＩに沿って切断した断面図である。
【図６】第２の実施形態に係るパネル部材の概略構成を示す平面図である。
【図７】図６中に示した切断線ＩＶ−ＩＶに沿って切断した断面図である。
【図８】図６中に示した切断線Ｖ−Ｖに沿って切断した断面図である。
【発明を実施するための形態】
【００１０】
以下、本発明の実施形態について、図面を参照しながら説明する。
【００１１】
但し、以下で参照する各図は、説明の便宜上、本発明の一実施形態の構成部材のうち、本発明を説明するために必要な主要部材を簡略化して示したものである。したがって、本発明に係るパネル部材、および搬送装置（以下、搬送形態という）は、本明細書が参照する各図に示されていない任意の構成部材を備え得る。
【００１２】
[実施の形態１]
図１〜図３に示すように、本実施形態に係るパネル部材Ｘ１は、タッチパネル２および保護シート３を備えている。
【００１３】
タッチパネル２は、使用者が指あるいはペン等で操作した箇所を入力位置として検出する入力デバイスである。タッチパネル２としては、例えば、静電容量方式のタッチパネル、抵抗膜方式のタッチパネル、表面弾性波方式のタッチパネル、赤外線方式のタッチパネル、あるいは電磁誘導方式のタッチパネル等が挙げられる。なお、検出感度およびマルチタッチの観点から、タッチパネル２としては静電容量方式のタッチパネルを用いることが好ましい。
【００１４】
タッチパネル２は、第１主面２ａ、および第１主面２ａの反対側に位置する第２主面２ｂを有している。すなわち、第１主面２ａが、使用者により指あるいはペン等で直接操作される面となる。また、第２主面２ｂが、タッチパネル２の裏面となる。また、図１に示すように、タッチパネル２は、平面視して略矩形状をなしている。このため、タッチパネル２は、第１隅部Ｃ１、第２隅部Ｃ２、第３隅部Ｃ３、および第４隅部Ｃ４を有している。なお、図１では、タッチパネル２の隅部Ｃ１〜Ｃ４は、平面視して矩形状をなしているが、隅部が丸みを帯びるように平面視して円弧状をなしていてもよい。タッチパネル２の隅部Ｃ１〜Ｃ４が平面視して円弧状をなしている場合でも、本明細書においては、タッチパネル２は、平面視して略矩形状をなしている、と言う。また、タッチパネル２は、平面視して円形状あるいは三角形状等をなしていてもよい。
【００１５】
ここで、タッチパネル２が投影型の静電容量方式のタッチパネルであれば、タッチパネル２は、基板と、基板上に設けられておりかつ第１方向に沿って配置された第１検出電極パターンと、基板上に設けられておりかつ第２方向に沿って配置された第２検出電極パターンと、第１検出電極パターンおよび第２検出電極パターンに電気的に接続された検出用配線と、を備えることになる。ここで、基板の構成材料としては、例えば、ガラスあるいはプラスチック等が挙げられる。
【００１６】
また、タッチパネル２が抵抗膜方式のタッチパネル２であれば、タッチパネル２は、上側基板と、上側基板に設けられた上側検出電極と、上側基板と対向して配置された下側基板と、下側基板に設けられておりかつ上側検出電極と対向して配置された下側検出電極と、上側検出電極および下側検出電極に電気的に接続された検出用配線と、を備えることになる。ここで、上側基板および下側基板の構成材料としては、例えば、ガラスあるいはプラスチック等が挙げられる。
【００１７】
このように、タッチパネル２は、主に、ガラスあるいはプラスチックから構成される。このため、タッチパネル２が外部の部材（例えば、後述する搬送用容器の載置部の内壁等）に当接すると、タッチパネル２に欠けあるいはクラックが生じる可能性がある。
【００１８】
また、本実施形態では、タッチパネル２の縁部２１には、遮光膜２２が設けられている。具体的には、遮光膜２２は、タッチパネル２の第２主面２ｂ側に、平面視して枠状となるように設けられている。なお、遮光膜２２は、タッチパネル２の第１主面２ａ側に設けられていてもよい。遮光膜２２は、タッチパネル２の第１主面２ａおよび第２主面２ｂと
交差する方向に入射する光を遮光する役割を有する。なお、本明細書において「遮光」とは、反射あるいは吸収によって可視光を遮蔽することを意味する。遮光膜２２が設けられていることにより、タッチパネル２の縁部２１を例えば黒色に加飾することが可能となる。
【００１９】
遮光膜２２の構成材料としては、樹脂材料に着色材料を含んだものが挙げられる。樹脂材料としては、例えば、アクリル系樹脂、エポキシ系樹脂、あるいは二酸化ケイ素等が挙げられる。着色材料としては、例えば、カーボン、チタン、あるいはクロム等が挙げられる。なお、遮光膜２２は、黒色に限らず、黒色以外の色を着色していてもよい。遮光膜２２を形成する方法としては、例えば、スクリーン印刷法、スパッタリング法、ＣＶＤ法、あるいは蒸着法等が挙げられる。
【００２０】
第１保護シート３は、タッチパネル２の第１主面２ａを保護する機能を有する。このため、第１保護シート３は、タッチパネル２の第１主面２ａ上に設けられている。ここで、第１保護シート３の構成材料としては、例えば、ポリカーボネート樹脂、ポリエチレンテレフタレート樹脂、アクリル樹脂、ポリエチレン樹脂、あるいはポリプロピレン樹脂等が挙げられる。本実施形態において、第１保護シート３には図示しない接着層が設けられており、この接着層がタッチパネル２の第１主面２ａに接して設けられている。但し、本実施形態では、接着層の接着力はある程度低く形成されており、そのため、第１保護シート３は、タッチパネル２の第１主面２ａからある程度容易に取り剥がすことができるように構成されている。
【００２１】
また、第１保護シート３は、平面視して、タッチパネル２の縁部２１よりも外側に張り出した張出部３１を有している。第１保護シート３が張出部３１を有しているので、後述する搬送形態Ｐ１（図４および図５参照）として搬送する際に、搬送による振動がパネル部材Ｘ１に伝わっても、第１保護シート３の張出部３１が搬送用容器５０の載置部５１の内壁５１ａに当接することになる。すなわち、パネル部材Ｘ１では、張出部３１が載置部５１の内壁５１ａに当接することにより、タッチパネル２自体が載置部５１の内壁５１ａに当接する可能性を低減することができる。これにより、タッチパネル２に欠けあるいはクラックが生じる可能性を低減することができる。
【００２２】
また、図１に示すように、第１保護シート３の張出部３１は、タッチパネル２の全ての縁部２１よりも外側に張り出していることが好ましい。これにより、タッチパネル２が載置部５１の内壁５１ａに当接する可能性をより低減することができる。
【００２３】
また、図１に示すように、第１保護シート３は、平面視して、張出部３１から外側に突出した第１突出部３２，３３を有していることが好ましい。第１突出部３２，３３を有していることにより、第１保護シート３をタッチパネル２の第１主面２ａから容易に取り剥がすことが可能となる。すなわち、第１突出部３２，３３を有しているので、使用者は、第１保護シート３を容易に手で掴むことが可能となるからである。
【００２４】
また、本実施形態に係るパネル部材Ｘ１では、タッチパネル２の第３隅部Ｃ３の近傍に位置する第１突出部３２と、タッチパネル２の第４隅部Ｃ４の近傍に位置する第１突出部３３とを有している。第１突出部３２がタッチパネル２の第３隅部Ｃ３の近傍に位置しているので、タッチパネル２の第３隅部Ｃ３を起点として、第１保護シート３をタッチパネル２の第１主面２ａから容易に取り剥がすことが可能となる。またこれと同様に、第１突出部３３がタッチパネル２の第４隅部Ｃ４の近傍に位置しているので、タッチパネル２の第４隅部Ｃ４を起点として、第１保護シート３をタッチパネル２の第１主面２ａから容易に取り剥がすことが可能となる。
【００２５】
以上のように、上記のパネル部材Ｘ１は、タッチパネル２に欠けあるいはクラックが生じる可能性を低減することができる。
【００２６】
図４は、本実施形態に係る搬送形態Ｐ１の概略構成を示す平面図である。図５は、図４中に示した切断線ＩＩＩ−ＩＩＩに沿って切断した断面図である。図４および図５に示すように、搬送形態Ｐ１は、上記のパネル部材Ｘ１、および搬送用容器５０を備えている。
【００２７】
搬送用容器５０は、複数のパネル部材Ｘ１がそれぞれ載置される載置部５１を複数有している。本実施形態では、載置部５１は６つ有しているが、これに限らない。搬送用容器５０は、例えば、ポリオレフィン系樹脂発泡体からなる。
【００２８】
載置部５１にパネル部材Ｘ１が載置されることにより、搬送形態Ｐ１が形成される。この搬送形態Ｐ１が所望の場所へ搬送されることになる。
【００２９】
ここで、第１保護シート３の張出部３１が搬送用容器５０の載置部５１の内壁５１ａに当接するためには、載置部５１の内壁５１ａの高さ位置は、パネル部材Ｘ１が載置部５１に載置された状態での当該パネル部材Ｘ１の高さ位置よりも高いことが好ましい。
【００３０】
以上のように、上記の搬送形態Ｐ１は、搬送による振動がパネル部材Ｘ１に伝わっても、タッチパネル２に欠けあるいはクラックが生じる可能性を低減することができる。
【００３１】
[実施の形態２]
図６は、本実施形態に係るパネル部材Ｘ２の概略構成を示す平面図である。図７は、図６中に示した切断線ＩＶ−ＩＶに沿って切断した断面図である。図８は、図６中に示した切断線Ｖ−Ｖに沿って切断した断面図である。なお、図６〜図８において、図１〜図３と同様の機能を有する構成については、同じ参照符号を付記し、その詳細な説明は省略する。
【００３２】
図６〜図８に示すように、パネル部材Ｘ２は、パネル部材Ｘ１に加えて、第２保護シート４を備えている。第２保護シート４は、タッチパネル２の第２主面２ｂを保護する機能を有する。このため、第２保護シート４は、タッチパネル２の第２主面２ｂ上に設けられている。第２保護シート４の構成材料としては、第１保護シート３と同様のものが挙げられる。
【００３３】
本実施形態において、第２保護シート４には図示しない接着層が設けられており、この接着層がタッチパネル２の第２主面２ｂに接して設けられている。但し、本実施形態では、接着層の接着力はある程度低く形成されており、そのため、第２保護シート４は、タッチパネル２の第２主面２ｂからある程度容易に取り剥がすことができるように構成されている。
【００３４】
また、図６に示すように、第２保護シート４は、平面視して、タッチパネル２の縁部２１よりも外側に突出した第２突出部４１，４２を有している。第２突出部４１，４２を有していることにより、第２保護シート４をタッチパネル２の第２主面２ｂから容易に取り剥がすことが可能となる。すなわち、第２突出部４１，４２を有しているので、使用者は、第２保護シート４を容易に手で掴むことが可能となるからである。
【００３５】
具体的には、第２突出部４１は、第１突出部３２の近傍に位置しているものの、平面視して、第１突出部３２とは重ならない位置に設けられている。第２突出部４１が平面視して第１突出部３２とは重ならない位置に設けられているので、第２突出部４１を手で掴む際に、第１突出部３２が邪魔になる可能性を低減することができる。このため、使用者は
、第２突出部４１を容易に手で掴むことが可能となる。
【００３６】
またこれと同様に、第２突出部４２は、第１突出部３３の近傍に位置しているものの、平面視して、第１突出部３３とは重ならない位置に設けられている。第２突出部４２が平面視して第１突出部３３とは重ならない位置に設けられているので、第２突出部４２を手で掴む際に、第１突出部３３が邪魔になる可能性を低減することができる。このため、使用者は、第２突出部４２を容易に手で掴むことが可能となる。
【００３７】
以上のように、上記のパネル部材Ｘ２は、上記のパネル部材Ｘ１と同様、タッチパネル２に欠けあるいはクラックが生じる可能性を低減することができる。
【００３８】
なお、実施の形態２では、第２保護シート４は、平面視して、タッチパネル２の縁部２１よりも外側に張り出した張出部を有していない例について説明したが、これに限らない。第２保護シート４は、平面視して、タッチパネル２の縁部２１よりも外側に張り出した張出部を有していてもよい。この場合、第２保護シート４の張出部は、第１保護シート３の張出部３１よりも外側に張り出していていることが好ましい。このようにすると、載置部５１に載置されたパネル部材Ｘ２を当該載置部５１から取り出し易くなる。すなわち、第１保護シート３は第２保護シート４よりも使用者側に位置しているため、第１保護シート３の張出部３１が第２保護シート４の張出部よりも外側に張り出していると、使用者がパネル部材Ｘ２を手で掴み難くなるからである。
【００３９】
また、実施の形態１では、タッチパネル２の第１主面２ａ上に第１保護シート３を設けた例、実施の形態２では、タッチパネル２の第１主面２ａ上に第１保護シート３を設けるとともに、タッチパネル２の第２主面２ｂ上に第２保護シート４を設けた例について説明したが、これに限らない。第１保護シート３あるいは第２保護シート４が取り付けられる対象物として、タッチパネル２の代わりに、表示パネルであってもよい。表示パネルとしては、例えば、液晶パネル、有機ＥＬパネル、プラズマパネル、あるいは電子ペーパ等が挙げられる。すなわち、表示パネルの第１主面上に第１保護シートが設けられていてもよいし、表示パネルの第２主面上に第２保護シートが設けられていてもよい。
【００４０】
さらに、実施の形態１では、パネル部材Ｘ１が搬送用容器５０の載置部５１に載置された搬送形態Ｐ１の例について説明したが、パネル部材Ｘ１に代えて、パネル部材Ｘ２が搬送用容器５０の載置部５１に載置された搬送形態であってもよい。さらに、上述した実施形態は適宜に組み合わせてもよい。
【符号の説明】
【００４１】
Ｘ１，Ｘ２  パネル部材
２  タッチパネル（パネル）
２ａ  第１主面（一方の主面）
２ｂ  第２主面（他方の主面）
２１  縁部
３  第１保護シート
３１  張出部
３２，３３  第１突出部
４  第２保護シート
４１，４２  第２突出部
５０  搬送用容器
５１  載置部
Ｐ１  搬送形態
Ｃ１〜Ｃ４  第１〜第４隅部（隅部）
【図１】
0005787783.tif 000002
【図２】
0005787783.tif 000003
【図３】
0005787783.tif 000004
【図４】
0005787783.tif 000005
【図５】
0005787783.tif 000006
【図６】
0005787783.tif 000007
【図７】
0005787783.tif 000008
【図８】
0005787783.tif 000009